(57)【特許請求の範囲】
【請求項１】
ガスタービンエンジンの燃焼器（２２）に流入する空気流を方向付けるための、前記燃焼器を分解することなく該燃焼器から取り外し可能であるカウル（２０）であって、前記燃焼器（２２）は環状の中空のチャンバ（３０）を有しており、該チャンバは、該チャンバの上流端の環状のドーム（３６）と、該チャンバの半径方向内側において前記ドームから下流に延びる内側ライナ（３２）と、該チャンバの半径方向外側において前記ドームから下流に延びる外側ライナ（３４）と、前記ドーム、内側ライナ及び外側ライナを組立てられた状態に取り付けるための複数の固締具とにより形成され、前記ドーム（３６）は周方向に間隔を置いて配置された複数の第1の固締孔（６４）を有し、また前記内側及び外側ライナ（３２、３４）の各々は、前記第1の固締孔（６４）とほぼ整合可能な、周方向に間隔を置いて配置された複数の第２の固締孔（６６）を有し、該孔は前記固締具（２８）を受け入れるための第1及び第2の孔の対を形成しており、前記カウル（２０）は、
前記燃焼器（２２）に流入する空気流を導くための環状のカウル本体（５６）と、
該カウル本体（５６）が前記ドーム（３６）から上流に延びている作動位置において、前記カウル（２０）を前記燃焼器（２２）に取り付けるために前記カウル本体上に配置され、前記第１及び第２の孔の対とほぼ対応する、周方向に間隔を置いて配置された複数の第３の固締孔（７０）を有しており、該第３の固締孔が、前記作動位置において前記対応する対と整合可能であり、前記固締具（２８）を前記第１、第２及び第３の固締孔を通して共通にかつ同時に受けることができるようになっている、取り付けリム（６８）と、
該取り付けリム（６８）内の少なくとも１つの切欠き（７２）と、を含み、
該少なくとも１つの切欠き（７２）は、該切欠きを形成する端縁（７４）と開口とを有し、前記第３の固締孔（７０）より大きい寸法に作られ、前記カウル（２０）が前記作動位置にあるとき、前記切欠き（７２）が対応する第１及び第２の固締孔（６４、６６）の対と整合し、前記切欠きの端縁（７４）は、前記固締具（２８）の１つが前記取り付けリム（６８）に係合することなく前記第１及び第２の孔の対の中に受け入れ可能になるように、前記孔から外方に間隔を置くような形状にされており、また前記少なくとも１つの切欠き（７２）は、前記ドーム（３６）、内側ライナ（３２）及び外側ライナ（３４）を前記組立てられた状態に保ちながら、前記カウル（２０）を前記作動位置に取り付け又はその位置から取り外すことができるようにする、
ことを特徴とするカウル（２０）。
【請求項２】
前記取り付けリム（６８）内には複数の切欠き（７２）があることを特徴とする、請求項１に記載のカウル（２０）。
【請求項３】
前記複数の切欠き（７２）は、前記取り付けリム（６８）の円周の周りに等間隔に配置されることを特徴とする、請求項２に記載のカウル（２０）。
【請求項４】
前記取り付けリム（６８）は、前記カウル本体（５６）の下流端にほぼ沿って配置されることを特徴とする、請求項３に記載のカウル（２０）。
【請求項５】
前記取り付けリム（６８）は、まさに３つの切欠き（７２）を有することを特徴とする、請求項２に記載のカウル（２０）。
【請求項６】
前記カウル本体（５６）は、前記燃焼器（２２）の半径方向外側部に取り付け可能な外側カウル本体（２４）を含み、また前記燃焼器の半径方向内側部に取り付け可能な内側カウル本体（２６）をさらに含むことを特徴とする、請求項１に記載のカウル（２０）。
【請求項７】
前記取り付けリムは、前記燃焼器（２２）の半径方向内側部に取り付けるための内側取り付けリム（１０４）を含んでおり、また前記カウル（２０）は、前記燃焼器の半径方向外側部に取り付けるための外側取り付けリム（１０６）をさらに含むことを特徴とする、請求項１に記載のカウル（２０）。
【請求項８】
前記外側取り付けリム（１０６）は少なくとも１つの切欠き（７２）を有することを特徴とする、請求項７に記載のカウル（２０）。
【請求項９】
ガスタービンエンジンの燃焼器組立体（２２）から、該燃焼器が組立てられたままで、カウル（２０）を取り外す方法であって、前記燃焼器（２２）は環状の中空のチャンバ（３０）を有しており、該チャンバは、該チャンバの上流端のドーム（３６）と、該チャンバの半径方向内側において前記ドームから下流に延びる内側ライナ（３２）と、該チャンバの半径方向外側において前記ドームから下流に延びる外側ライナ（３４）とにより形成されており、前記カウル（２０）は、該カウル（２０）、前記ドーム（３６）及び前記ライナ（３２、３４）の１つに設けられている整合された固締孔（６４、６６、７０）を通して共通にかつ同時に延びる第１の組の固締具（２８）によって、前記チャンバ（３０）に流入する空気流を調節するための作動位置において前記燃焼器（２２）組立体に取り付け可能であり、該燃焼器組立体は、前記ドーム（３６）及び前記ライナ（３２、３４）の１つに設けられている整合された固締孔（６４、６６）を通して延びかつ前記カウル（２０）とは係合していない第２の組の固締具（２８）を有しており、該第２の組の固締具は、前記カウル（２０）内に形成された切欠き（７２）にほぼ整合しており、前記方法は、
前記第２の組の固締具を所定の位置に残したままで、前記第１の組の固締具（２８）を取り外す段階と、
前記第２の組の固締具により前記ドーム（３６）及びライナを互いに接続された状態に保ちながら、前記燃焼器組立体（２２）から前記カウル（２０）を分離する段階と、
を含むことを特徴とする方法。
【請求項１０】
前記燃焼器組立体（２２）上で交換カウル（２０）を前記作動位置に置き、前記交換カウル（２０）、前記ドーム（３６）及び前記ライナ（３２、３４）の１つに設けられている整合された固締孔（６４、６６、７０）を通して前記第１の組の固締具（２８）を取り付けることにより、前記交換カウル（２０）を前記燃焼器組立体（２２）に取り付ける段階をさらに含むことを特徴とする、請求項９に記載の方法。
【発明の詳細な説明】
【０００１】
【発明の属する技術分野】
本発明は、一般的に航空機用ガスタービンエンジンの燃焼器に関し、具体的には、燃焼器の構成要素が組立てられた状態のままで、取り外し又は交換することができる環状の燃焼器のカウルに関する。
【０００２】
【従来の技術】
ガスタービンエンジンにおいて、加圧空気は圧縮機から燃焼器に供給され、該燃焼器で燃料と混合され燃焼される。広い範囲で用いられている１つの形式の燃焼器は、環状の形状に構成され、同軸環状の内側及び外側ライナとそれらの上流端でライナを相互接続する環状のドームプレートとにより形成される中空の燃焼チャンバ内に火炎は封じ込まれる。ドームプレートは、ドームと呼ばれ、燃料と空気を混合しその混合気をチャンバ中に導入するための、周方向に間隔を置いて配置された複数の気化器組立体を含む。燃焼器中への加圧空気の流れは、一般的に固定カウルにより調節され、該固定カウルは、ドームの上流の所定の位置で燃焼器に取り付けられ、流れに対して開口しているドームの入口にわたる区域を形成する。カウルは、空気を、気化器組立体に流入する中央流れと内側ライナ及び外側ライナに沿って流れて燃焼器及びタービンを熱損傷から保護する冷却流れとに分ける。カウルは、半径方向内側及び外側カウルのような２つの別個の環状リングを含むか、又は単一部品に形成されることができる。
【０００３】
カウル、ドーム、内側ライナ及び外側ライナは、別個の部品要素であり、それらは周方向に間隔を置いて配置された固締具の組を用いて互いに組立てられる。修理性及び保守性を向上させるために、構成要素は別々に作られる。一般的に、各固締具は、カウル、ドーム及び２つのライナの１つに設けられている互いに整合された固締孔を通して延びて、３つの構成要素を同時に接続する。
【０００４】
燃焼器構成要素の組立ては、精度が必要であるために綿密な、時間のかかる工程である。ドームと内側及び外側ライナとの間の相対的角度及び間隔は、厳密な公差に管理されなければならない重要なパラメータである。意図した寸法からのずれは、火炎位置及び冷却流れの有効性のばらつきを生じ、このばらつきにより燃焼器性能及び構成要素の耐久性を低下させる可能性がある。従って、燃焼器を最初に組立てるとき、正確な寸法管理及びドームとライナの間の適切な相対的位置を確立するために、特殊な治工具が必要とされる。そのような治工具は費用がかかるしまた広く入手できるものではない。
【０００５】
【発明が解決しようとする課題】
残念ながら、現在の設計方法では、カウルを保守又は交換のために取り外す場合に、その取り外しには燃焼器を完全分解する必要がある。組立てられた燃焼器の残部からカウルを分離するためには、全ての組の固締具が取り外されなければならない。従って、カウルを交換するために固締具が取り外される場合に、ドーム及びライナは、組立体から開放されるのでそれらの精密な寸法関係は失われる。再組立てには、適切な特殊な治工具を有する施設に部品を送ることが必要である。これらの段階は時間も費用も掛かる。
【０００６】
【課題を解決する手段】
本発明によるカウルは、ガスタービンエンジンの燃焼器に流入する空気流を方向付け、また燃焼器を分解することなく燃焼器から取り外すことが可能である。燃焼器は環状の中空のチャンバを有しており、該チャンバは、チャンバの上流端の環状のドームと、チャンバの半径方向内側においてドームから下流に延びる内側ライナと、チャンバの半径方向外側においてドームから下流に延びる外側ライナと、ドーム、内側ライナ及び外側ライナを組立てられた状態に取り付けるための複数の固締具とにより形成される。ドームは周方向に間隔を置いて配置された複数の第1の固締孔を有し、また内側及び外側ライナの各々は、第1の固締孔とほぼ整合可能な、周方向に間隔を置いて配置された複数の第２の固締孔を有し、該孔は固締具を受け入れるための第1及び第2の孔の対を形成する。カウルは、燃焼器に流入する空気流を導くための環状のカウル本体を含む。カウル本体上の取り付けリムが、カウル本体がドームから上流に延びている作動位置においてカウルを燃焼器に取り付ける。取り付けリムは、第１及び第２の孔の対とほぼ対応する、周方向に間隔を置いて配置された複数の第３の固締孔を有する。第３の固締孔が、作動位置において対応する対と整合可能であり、固締具を第１、第２及び第３の固締孔を通して共通にかつ同時に受けることができる。少なくとも１つの切欠きが、取り付けリム内にあり、切欠きを形成する端縁と開口とを有する。切欠きは、第３の固締孔より大きい寸法に作られ、カウルが作動位置にあるとき、切欠きが対応する第１及び第２の固締孔の対と整合するような形状にされている。切欠きの端縁は、固締具の１つが取り付けリムに係合することなく第１及び第２の孔の対の中に受け入れ可能になるように、孔から外方に間隔を置いている。切欠きは、ドーム、内側ライナ及び外側ライナを組立てられた状態に保ちながら、カウルを作動位置に取り付け又はその位置から取り外すことができるようにする。
【０００７】
別の態様においては、本発明による燃焼器組立体は、ガスタービンエンジン用である。燃焼器は、形状がほぼ環状であり、前方の環状のドームとドームの下流のライナにより形成される、中空の燃焼チャンバを含む。複数の固締具が、周方向に間隔を置いた位置でドームとライナを接続するために、ドーム及びライナに設けられている整合された孔を通して延びる。ほぼ一様な環状の形状を有するカウル本体は、取り付け位置においてドームとライナ上に取り付け可能である。カウル本体は、ドームとライナに設けられている整合された孔にほぼ対応するそれを貫いて延びる、周方向に間隔を置いて配置された複数の固締孔を有し、固締具を受け入れてカウル本体をドームとライナに接続する。カウル本体内の少なくとも１つの切欠きは、対応する少なくとも１つの固締具よりも十分に大きい寸法に作られ、対応する少なくとも１つの固締具がドーム及びライナを互いに接続している所定の位置のままで、カウル本体を取り付け位置に移動させ又はその位置から取り外すことを可能にする。
【０００８】
さらに別の態様においては、本発明による方法は、ガスタービンエンジンの燃焼器組立体から、燃焼器が組立てられたままで、カウルを取り外す。燃焼器は環状の中空のチャンバを有しており、該チャンバは、チャンバの上流端のドームと、チャンバの半径方向内側においてドームから下流に延びる内側ライナと、チャンバの半径方向外側においてドームから下流に延びる外側ライナとにより形成される。カウルは、カウル、ドーム及びライナの１つに設けられている整合された固締孔を通して共通にかつ同時に延びる第１の組の固締具によって、チャンバに流入する空気流を調節するための作動位置において燃焼器組立体に取り付け可能である。燃焼器組立体は、ドーム及びライナの１つに設けられている整合された固締孔を通して延びかつカウルとは係合していない第２の組の固締具を有している。第２の組の固締具は、カウル内に形成された切欠きにほぼ整合されている。該方法は、第２の組の固締具を所定の位置に残したままで、第１の組の固締具を取り外す段階と、第２の組の固締具によりドーム及びライナを互いに接続された状態に保ちながら、燃焼器組立体からカウルを分離する段階とを含む。
【０００９】
本発明の他の特徴は、一部は明らかであり、また一部は以下に指摘されるであろう。
【００１０】
【発明の実施の形態】
対応する参照符号は、図面の幾つかの図を通して対応する部分を示す。
【００１１】
ここで図面、特に図１から図３までを参照すると、ガスタービンエンジン用の本発明の２部材構成のカウルを、全体を符号２０で示している。カウル２０は、燃焼器を分解することなくエンジンの燃焼器組立体２２から取り外し可能かつ交換可能に構成されている。カウル２０は、半径方向外側カウル２４（図１）及び半径方向内側カウル２６（図２）を含む。外側カウル２４及び内側カウル２６は、例えば、ボルト又はリベットのような複数の適当な固締具により燃焼器組立体２２上に別々に取り付けられる。
【００１２】
組立てられると、燃焼器２２は、同軸環状の内側ライナ３２及び外側ライナ３４とライナの上流端を相互接続する環状の構造部材３６とで境界を形成された環状の中空の燃焼チャンバ３０（図３）を有する。環状の部材３６は、当業者には既知であり、今後はドームプレート又はドームと呼ぶことにする。チャンバ３０は、燃焼生成物がタービン（図示せず）へ流出するために下流端３８で開口している。ドーム３６内に配置されるのは、霧化された燃料／空気混合気をチャンバ３０に供給するための、周方向に間隔を置いて配置された複数の気化装置４０である。各気化装置４０は、燃料ノズル４２及び空気スワーラ４４を含む。燃料ノズル４２は、ノズルの上流端に接続された供給管（図示せず）から燃料を受ける。点火器（図示せず）のような適当な点火手段が設けられて、燃焼チャンバ３０内の混合気に点火する。
【００１３】
内側及び外側ライナ３２、３４は、チャンバ３０のそれぞれ半径方向内側及び外側においてドーム３６から下流に延びる。各ライナは、その長さ方向に沿って複数のスロット開口５２を有し、ライナ表面に沿って冷却空気を導入することを可能にする。冷却空気は、対流冷却フィルムを形成してライナ及び下流のタービンをそれらが曝される極めて高温の環境による損傷から保護する。位置決め部材５４が、エンジンの他の内部部品に対して燃焼器２２を位置決めするために又は点火器を取り付けるために外側ライナ３４上に設置される。
【００１４】
燃焼器２２への加圧空気の流れは、ドーム３６の上流の作動取り付け位置（図３）において燃焼器組立体に取り付けられるカウル２０により調節される。カウルは、ドームのすぐ上流に高い静圧領域を確立する。外側カウル２４及び内側カウル２６の各々は、最小限の圧力損失で空気の流れを導くような形状にされた環状のカウル本体５６を有する。内側及び外側カウルの前縁５８は、間隔Ａ（図３）だけ離されており、その間隔が流れに対して開口しているドーム３６の入口にわたる「捕捉区域」を形成する。カウル２０は、ディフューザ（図示せず）からの空気流れを、捕捉区域を通して気化装置４０に流入する中央流れとカウルの外側を外側ライナ３４の外側表面及び内側ライナ３２の内側表面に沿って流れる冷却流れとに分ける。各カウルの前縁５８は、一般的に空気流のはく離及び全体の圧力損失を最小限にするような形状にされる。
【００１５】
燃焼器２２の作動特性は、従来のものと変わりがないので、これ以上詳細には説明しない。
【００１６】
図１及び図２に示すように、ドーム３６は、それぞれ内側リムフランジ６０及び外側リムフランジ６２により形成される半径方向内側バンド及び半径方向外側バンドを有する。各リムフランジ６０、６２は、その中に周方向に間隔を置いて配置された第１の固締孔６４の列を有する。各列には、ドームの大きさに応じて２０個から６０個までの第１の固締孔６４があるのが好ましい。内側ライナ３２及び外側ライナ３４の各々は、それぞれのフランジ６０、６２内の第１の固締孔６４とほぼ整合可能である、周方向に間隔を置いて配置された対応する第２の固締孔６６の列を有し、該孔の列が第１及び第２の孔の対を形成する。整合された対は、複数の固締具２８を受けて、ドーム３６、内側ライナ３２及び外側ライナ３４を組立てられた状態に取り付ける接合部２９を形成するように構成されている。ドーム３６と内側及び外側ライナ３２、３４との間の相対的角度及び間隔は、厳密に管理されなければならない重要なパラメータである。従って、燃焼器２２を最初に組立てるとき、空気スワーラ４４の正確な配置とドームとライナの間の適切な相対的位置決めとを確実に行うには、特殊な治工具（図示せず）が必要とされる。
【００１７】
外側カウル２４及び内側カウル２６の各々は、カウル本体５６がドーム３６から上流に延びている作動位置においてカウルを燃焼器組立体２２に取り付けるための取り付けバンドすなわちリム６８を有する。各取り付けリム６８は、カウル本体５６の下流端にほぼ沿って配置され、周方向に間隔を置いて配置された複数の第３の固締孔７０を有する。第３の固締孔７０は、整合された第１及び第２の孔６４、６６の対とほぼ対応し、カウルが図３に示す作動位置に配置されるときに第1及び第2の孔に整合可能である。第1、第2及び第3の固締孔６４、６６、７０は、同時にそれらを通して共通の固締具２８を受けるために、ほぼ等しい直径を有する。各カウル２４、２６の取り付けリム６８は、カウル本体５６と一体であるのが好ましく、また燃焼器組立体２２の対応する表面との係合を強めるために波形とすることができる。異なる取り付けリムを備えるカウルも本発明の技術的範囲から逸脱しないことが分かる。カウル２４、２６の各々は、インベストメント鋳造法で単一部品として形成されることが好ましい。
【００１８】
全体を符号７２で示す少なくとも１つの切欠きが、各カウル２４、２６の取り付けリム６８内に形成されて、燃焼器２２を分解することなくカウルを取り付け又は取り外すことを可能にする。各カウル内には３つの切欠き７２があるのが好ましい。各切欠き７２は、切欠きを形成する端縁７４とカウル本体５６の下流端の方向に面する開口とを有し、ほぼ三日月形又はＵ字形になっている。他の形状の切欠きも本発明の技術的範囲から逸脱しない。各切欠き７２は、カウルが作動位置にあるときに、切欠きの端縁７４が、対応する整合された第1及び第2の固締孔６４、６６の対及び対応する固締具から外方に間隔を置くように、第3の固締孔７０より大きく、かつ１つの固締具２８の最大直径Ｄ（図４）より大きい寸法を有している。その結果、カウル本体５６は、固締具２８がドーム３６及びライナ３２、３４のうちの１つを取り付ける所定の位置のままで、取り付け位置に又はその位置から自由に移動させることができる。取り付けられた固締具２８はカウルの移動を妨げないので、カウル２０は、燃焼器２２が組立てられた状態のままで、取り付け又は交換することができる。
【００１９】
１つの実施形態において、各カウル２４、２６は、取り付けリム６８の円周の周りにほぼ均等な間隔に配置されている３つの切欠き７２を有する。それによって、カウルが取り外されるとき、対応する数の固締具２８（本実施形態においては３つ）が燃焼器組立体２２内に保持されることが可能になる。３つの固締具は、ドーム３６とライナ３２、３４のうちの１つとの間のいかなる不安定さ又は相対的動きを防止するのに効果的である。しかしながら、１つの切欠き７２又は任意の数の切欠きを有するカウル２０も本発明の技術的範囲から逸脱しないことが分かる。
【００２０】
次に図４には、ドーム３６、内側ライナ３２及び内側カウル２６を取り付けるための継手２９を詳細に示す。外側ライナ３４、ドーム３６及び外側カウル２４を接続する継手のような他の継手は、ほぼ類似しているが、接続される構成要素の半径方向の順序は、逆に（すなわち、ライナを半径方向最外側位置に、またカウルを最内側の位置に）してもよい。さらに、固締具２８は、ボルトとして示されているが、この種の固締具に限定されない。図４に示すボルトは、頭部７６とそれぞれドーム及びライナ内の整合された第１及び第２の固締孔６４、６６の対を通して延びる軸部７８とを有している。ボルト２８は、雌ねじを切った留めナット８０又はナットプレート８２中のナットにより所定の位置に保持される。一般的に、ボルトの頭部７６は、適当な工具（例えば、アレンレンチ）を受けるための凹み８４を有する。図４の接合部２９は、ボルト頭部７６がライナ３６に係合し、軸部７８が第１及び第２の固締孔６４、６６のみを通して延びるように、切欠き７２をボルト２８のところに位置させて取り付けられたカウル２６を有する。開口を備える切欠き７２に代えて閉囲された第３の固締孔７０をこの接合部のところに位置させてカウルを取り付けた場合、ボルト頭部７６はカウル２６に係合し、またボルト軸部７８は第1、第２及び第３の固締孔６４、６６、７０を通して延びることになる。
【００２１】
作業中に、各カウル２０は、燃焼器が組立てられた状態のままで、燃焼器組立体２２から取り外されることが可能である。先ず、第１の組のボルト固締具２８が取り外されるが、その第１の組は、それぞれカウル、ドーム及びライナのうちの１つに設けられている整合された固締孔６４、６６、７０を通して共通にかつ同時に延びるボルトを含む。例えば、周方向に間隔を置いて配置された３０個の固締孔を有する燃焼器と３つの切欠きを備えるカウルとの場合には、第１の組の固締具は、２７個のボルト２８を含むことになる。切欠き７２に対応し、ドーム及びライナに設けられている整合された固締孔６４、６６のみを通して延びる第２の組の固締具は、所定の位置に残される。その時、カウル２０は、第２の組の固締具がドーム及びライナを組立てられた状態に引き続き保ちながら、燃焼器組立体２２から分離することができる。次いで、修理されたカウル又は交換カウル２０は、３つの切欠き７２を第２の組のボルト固締具２８の周りに位置させて、前述の作動位置において燃焼器２２上にカウルを置くことにより取り付けることができる。次に第１の組のボルト２８が、再び取り付けられる。
【００２２】
従って、本発明は、燃焼器２２を完全に分解することなく任意の場所でカウルを交換することを可能にし、それにより保守や修理の時間及び費用を削減する。さらに、本発明は、カウルを交換する場合にドーム３６及びライナ３２、３４を正確に位置決めするための特別な治工具の必要性を無くすので、それによって特別な治工具が利用できない場所でのカウル交換を可能にする。また、ドーム３６及び空気スワーラ４４の前面の保守又は点検が、燃焼器を完全に分解することなく、より経済的に実施されることが可能になる。
【００２３】
図５及び図６に示す本発明の第２の実施形態８８は、比較的大きい半径方向寸法すなわち高さを有するドームを備える燃焼器９２上に単体部品の構造カウル９０を含む。本実施形態に示す燃焼器９２は二重環状構成を有しており、該構成は、様々なエンジン運転状態のときにある程度独立して作動する、半径方向に間隔を置いて配置された２つの別々の空気燃料スワーラ組立体９６、９８の環状リングを備えている。センタボデー１００がこの２つのリングの間に延びている。
【００２４】
第２の実施形態８８のカウル９０は、組立て又はインベストメント鋳造法により１つの部品として構成されるのが好ましい。カウルは、燃焼器９２の半径方向内側部に取り付けるための内側取り付けリム１０４と燃焼器の半径方向外側部に取り付けるための外側取り付けリム１０６とを有する。カウル９０は、内側及び外側取り付けリムを接続する構造リブ１０２を有し、燃焼器の構造上の安定性を高める。少なくとも１つの切欠き７２が、取り付けリム１０４及び１０６の各々に形成されるが、３つの切欠きが各リムの周りにほぼ均等に間隔を置いて配置されることが好ましい。カウル９０は、６個の固締具２８を所定の位置に残したままで、取り外すことができるが、３個の固締具はドーム３６と内側ライナ３２を接続し、また３個の固締具はドームと外側ライナ３４を接続しているものである。カウル９０は、本発明の技術的範囲から逸脱することなく、１つの取り付けリム１０４又は１０６に１つの切欠き７２を有してもよいし、あるいは２つの取り付けリムに任意の数及び配置の切欠きを有してもよいことが分かる。
【００２５】
本発明又はその好ましい実施形態の要素を説明する場合に、限定的意味で「１つ」、「２つ」、「複数」及び「多数」などの数詞の特定のないものは、１つ又はそれ以上の要素があることを意図する。
【００２６】
本発明の技術的範囲から逸脱することなく種々の変更を行なうことが可能であるので、上述の説明又は添付の図面に示す全ての事項は、例示的なものとして解釈し限定的意味で解釈すべきではない。なお、特許請求の範囲に記載された符号は、理解容易のためであってなんら発明の技術的範囲を実施例に限縮するものではない。
【図面の簡単な説明】
【図１】  半径方向外側ライナ、ドーム及び外側カウルを含む、本発明によるガスタービンエンジン用の環状の燃焼器組立体の１部の分解斜視図。
【図２】  半径方向内側ライナ、ドーム及び内側カウルの分解斜視図。
【図３】  燃焼器組立体の概略側面断面図。
【図４】  図３の固締具接合部の詳細図。
【図５】  単一部品のカウルを有する、本発明の第２の実施形態の概略側面断面図。
【図６】  図５の第２の実施形態のカウルの斜視図。
【符号の説明】
２０  カウル
２２  燃焼器
２４  半径方向外側カウル
２６  半径方向内側カウル
２８  固締具
２９  接合部
３０  燃焼チャンバ
３２  内側ライナ
３４  外側ライナ
３６  ドーム
４０  気化装置
４２  燃料ノズル
４４  空気スワーラ
５２  スロット開口
５４  位置決め部材
５８  カウルの前縁
【図１】
0004030341.tif 000002
【図２】
0004030341.tif 000003
【図３】
0004030341.tif 000004
【図４】
0004030341.tif 000005
【図５】
0004030341.tif 000006
【図６】
0004030341.tif 000007